(57)【要約】【課題】砂塵などの装置内部への進入を抑制することができるインクジェット記録装置を提供する。【解決手段】複合機１０は、内部空間３０を有する箱形のプリンタ筐体１４と、内部空間３０に配置されており、インク滴を吐出する記録ヘッド３７と、内部空間３０に配置されており、記録ヘッド３７を搭載しており、移動可能なキャリッジ３８と、プリンタ筐体１４において、内部空間３０のうちキャリッジ３８が位置することが可能な空間である移動可能空間４０とプリンタ筐体１４の外部との間に配置された防塵部７０とを備える。【選択図】図３
2018099856.tif 000002
【特許請求の範囲】
【請求項１】
内部空間を有する箱形の筐体と、
上記内部空間に配置されており、インク滴を吐出する記録ヘッドと、
上記内部空間に配置されており、上記記録ヘッドを搭載しており、移動可能なキャリッジと、
上記筐体において、上記内部空間のうち上記キャリッジが位置することが可能な空間である移動可能空間と上記筐体の外部との間に配置された防塵部と、を備えるインクジェット記録装置。
【請求項２】
上記防塵部は、多孔質材料である請求項１に記載のインクジェット記録装置。
【請求項３】
上記防塵部は、上記移動可能空間と上記筐体の外部とを連通するラビリンス形状の流路を備える請求項１または２に記載のインクジェット記録装置。
【請求項４】
上記キャリッジは、第１向き及び当該第１向きとは逆向きの第２向きへ移動可能であり、
上記防塵部は、上記移動可能空間の上記第１向きの端部よりも上記第１向きの位置であって上記第１向きにおける当該端部と上記筐体の外部との間の位置、または、上記移動可能空間の上記第２向きの端部よりも上記第２向きの位置であって上記第２向きにおける当該端部と上記筐体の外部との間の位置の少なくとも一方に配置されている請求項１から３のいずれかに記載のインクジェット記録装置。
【請求項５】
上記筐体は、上記内部空間を有する下部筐体と、上記下部筐体の上方に配置された上部筐体と、を備え、
上記上部筐体は、上記下部筐体を上方から覆う第１位置と、上記下部筐体に対して起立しており上記内部空間を露出させる第２位置とに移動可能である請求項１から４のいずれかに記載のインクジェット記録装置。
【請求項６】
上記下部筐体は、上記内部空間の上端を区画する天板を備え、
上記天板における上記キャリッジの上方には、開口が形成されており、
上記防塵部は、上記上部筐体が上記第１位置に位置する状態において、少なくとも上記開口の周縁部において上記天板と上記上部筐体との隙間を塞ぐように配置されている請求項５に記載のインクジェット記録装置。
【請求項７】
上記防塵部は、上記上部筐体に取り付けられている請求項６に記載のインクジェット記録装置。
【請求項８】
上記キャリッジは、第１向き及び当該第１向きとは逆向きの第２向きへ移動可能であり、
上記開口は、上記移動可能空間の上記第１向きの端部に形成されている請求項６または７に記載のインクジェット記録装置。
【発明の詳細な説明】
【技術分野】
【０００１】
本発明は、記録ヘッドからインク滴を吐出することによってシートに画像記録を行うインクジェット記録装置に関する。
【背景技術】
【０００２】
従来より、筐体の内部を搬送するシートにインク滴を吐出して画像記録を行うインクジェット記録装置が知られている。インクジェット記録装置は、インク滴を吐出する記録ヘッドと、記録ヘッドを搭載しており移動可能なキャリッジとを備えている。副走査方向へ間欠搬送されているシートが停止しているときに、当該シートの上方に位置するキャリッジが主走査方向へ移動しつつ、記録ヘッドがインク滴をシートへ向けて吐出する。これにより、シートに画像が記録される（特許文献１）。
【先行技術文献】
【特許文献】
【０００３】
【特許文献１】特開２０１４−１９８４５２号公報
【発明の概要】
【発明が解決しようとする課題】
【０００４】
インクジェット記録装置が塵や埃が多い環境（例えば砂塵が舞う屋外又はそのような屋外に面し、窓やドア等の仕切りがないか或いはそのような仕切りがほとんど無い露店）に設置された場合、砂塵などが、インクジェット記録装置の筐体に形成された開口や隙間を通じて筐体の内部に進入するおそれがある。特に、移動可能なキャリッジを有するインクジェット記録装置の場合、以下に説明するプロセスによって、砂塵などの筐体の内部への進入が顕著である。
【０００５】
キャリッジが主走査方向へ第１位置から第２位置へ移動すると、第１位置から第２位置への向きに圧力が発生する。そして、当該圧力によって、砂塵などが、筐体の外部から開口や隙間を通じて筐体の内部に吸い込まれる。次に、キャリッジが主走査方向へ第２位置から第１位置へ移動すると、第２位置から第１位置への向きに圧力が発生する。そして、当該圧力によって、筐体の内部に吸い込まれた砂塵などは、筐体の内部において攪拌され、筐体の内部における広い範囲へ拡散される。以上のようなプロセスによって、筐体の内部に多量の砂塵などが蓄積されてしまう。
【０００６】
本発明は、上記問題に鑑みてなされたものであり、その目的は、砂塵などの装置内部への進入を抑制することができるインクジェット記録装置を提供することにある。
【課題を解決するための手段】
【０００７】
(1)  本発明のインクジェット記録装置は、内部空間を有する箱形の筐体と、上記内部空間に配置されており、インク滴を吐出する記録ヘッドと、上記内部空間に配置されており、上記記録ヘッドを搭載しており、移動可能なキャリッジと、上記筐体において、上記内部空間のうち上記キャリッジが位置することが可能な空間である移動可能空間と上記筐体の外部との間に配置された防塵部と、を備える。
【０００８】
キャリッジが移動することによって、筐体の外部から内部空間へ向かう圧力が生じる。この圧力によって、砂塵などが、筐体の外部から、筐体に形成された開口や隙間を通じて、内部空間へ進入しようとする。しかし、この砂塵などの多くは、移動可能空間と筐体の外部との間に配置された防塵部によって、内部空間への進入を阻まれる。その結果、砂塵などの筐体の内部空間への進入を抑制することができる。
【０００９】
(2)  上記防塵部は、多孔質材料である。
【００１０】
防塵部に進入した砂塵などは、筐体の外部から内部空間へ進入するために防塵部に形成された複数の細孔を通過する必要がある。しかし、砂塵などの多くは、複数の細孔を通過することなく、複数の細孔の間にある多孔質材料の壁によって進入を阻まれる。その結果、砂塵などの筐体の内部空間への進入を抑制することができる。
【００１１】
また、防塵部が多孔質材料であるため、筐体の外部と内部空間との間における空気の移動は可能である。これにより、内部空間に配置されたモータなどから発する熱が内部空間に籠もり、内部空間の温度が上昇することを抑制できる。
【００１２】
(3)  上記防塵部は、上記移動可能空間と上記筐体の外部とを連通するラビリンス形状の流路を備える。
【００１３】
防塵部に進入した砂塵などは、筐体の外部から内部空間へ進入するために防塵部に形成されたラビリンス状の流路を通過する必要がある。しかし、キャリッジの移動によって生じた圧力が弱まると、砂塵などの多くは、流路の途中で停止する。これにより、砂塵などの筐体の内部空間への進入を抑制することができる。
【００１４】
また、防塵部が備える流路を介して、筐体の外部と内部空間との間における空気の移動は可能である。これにより、内部空間に配置されたモータなどから発する熱が内部空間に籠もり、内部空間の温度が上昇することを抑制できる。
【００１５】
(4)  上記キャリッジは、第１向き及び当該第１向きとは逆向きの第２向きへ移動可能である。上記防塵部は、上記移動可能空間の上記第１向きの端部よりも上記第１向きの位置であって上記第１向きにおける当該端部と上記筐体の外部との間の位置、または、上記移動可能空間の上記第２向きの端部よりも上記第２向きの位置であって上記第２向きにおける当該端部と上記筐体の外部との間の位置の少なくとも一方に配置されている。
【００１６】
キャリッジが第１向きへ移動すると、第１向きの圧力が発生する。この第１向きの圧力により、筐体よりも第２向きに位置する外部空間から筐体に形成された開口や隙間を通じて筐体の内部空間へ向けて、砂塵などが進入しようとする。しかし、この砂塵などの内部空間への進入は、移動可能空間の第２向きの端部よりも第２向きの位置であって第２向きにおける当該端部と筐体の外部との間に配置された防塵部によって抑制される。
【００１７】
同様に、キャリッジが第２向きへ移動すると、第２向きの圧力が発生する。この第２向きの圧力により、筐体よりも第１向きに位置する外部空間から筐体に形成された開口や隙間を通じて筐体の内部空間へ向けて、砂塵などが進入しようとする。しかし、この砂塵などの内部空間への進入は、移動可能空間の第１向きの端部よりも第１向きの位置であって第１向きにおける当該端部と上記筐体の外部との間に配置された防塵部によって抑制される。
【００１８】
(5)  上記筐体は、上記内部空間を有する下部筐体と、上記下部筐体の上方に配置された上部筐体と、を備える。上記上部筐体は、上記下部筐体を上方から覆い上記内部空間を閉塞させる第１位置と、上記内部空間を露出させる第２位置とに移動可能である。
【００１９】
内部空間にシートが詰まった場合に、上部筐体を第２位置へ移動させることによって、当該シートを容易に取り出すことができる。
【００２０】
(6)  上記下部筐体は、上記内部空間の上端を区画する天板を備える。上記天板における上記キャリッジの上方には、開口が形成されている。上記防塵部は、上記上部筐体が上記第１位置に位置する状態において、少なくとも上記開口の周縁部において上記天板と上記上部筐体との隙間を塞ぐように配置されている。
【００２１】
キャリッジが移動することによって圧力が生じることにより、砂塵などが下部筐体及び上部筐体の外部から、上部筐体及び天板の隙間、及び開口を通じて内部空間へ進入しようとする。しかし、この砂塵などの多くは、防塵部によって開口へ到達することができない。これにより、砂塵などの下部筐体の内部空間への進入を抑制することができる。
【００２２】
(7)  上記防塵部は、上記上部筐体に取り付けられている。
【００２３】
防塵部が上部筐体に取り付けられているため、上部筐体を第１位置から第２位置へ移動させたときに、開口を通じて内部空間を露出することができる。これにより、内部空間にシートなどが詰まったときに、当該シートなどを開口を通じて取り出すことができる。一方、上部筐体が第１位置に位置するときには、(6)で説明したように砂塵などの内部空間への進入を抑制することができる。
【００２４】
(8)  上記キャリッジは、第１向き及び当該第１向きとは逆向きの第２向きへ移動可能である。上記開口は、上記移動可能空間の上記第１向きの端部に形成されている。
【００２５】
キャリッジが第２向きへ移動すると、第２向きの圧力が発生する。この第２向きの圧力により、筐体よりも第１向きに位置する外部空間から、上部筐体及び天板の隙間、及び開口を通じて下部筐体の内部空間へ向けて、砂塵などが進入しようとする。しかし、この砂塵などの開口を通じての内部空間への進入は、開口の少なくとも周縁部を塞いでいる防塵部によって抑制される。
【発明の効果】
【００２６】
本発明によれば、砂塵などがインクジェット記録装置の筐体の内部空間へ進入することを抑制できる。
【図面の簡単な説明】
【００２７】
【図１】図１は、スキャナ筐体５１が第１位置に位置する状態の複合機１０の斜視図である。
【図２】図２は、プリンタ部１１の内部構造を模式的に示す縦断面図である。
【図３】図３は、スキャナ筐体５１が第２位置に位置し且つ防塵部７０Ａ、７０Ｂが取り付けられた複合機１０の斜視図である。
【図４】図４は、スキャナ筐体５１が第２位置に位置し且つ防塵部７０Ａ、７０Ｃが取り付けられた複合機１０の斜視図である。
【図５】図５は、スキャナ筐体５１が第２位置に位置し且つ防塵部７０Ｄが取り付けられた複合機１０の斜視図である。
【図６】図６は、スキャナ筐体５１が第２位置に位置し且つ防塵部７０Ｅが取り付けられた複合機１０の斜視図である。
【図７】図７は、スキャナ筐体５１が第２位置に位置し且つ防塵部７０Ａ、７０Ｂがプリンタ筐体１４に取り付けられた複合機１０の斜視図である。
【図８】図８は、スキャナ筐体５１が第２位置に位置し且つ防塵部７０Ａ、７０Ｃがプリンタ筐体１４に取り付けられた複合機１０の斜視図である。
【図９】図９は、スキャナ筐体５１が第２位置に位置し且つ側板２９に開口２６が形成された複合機１０の斜視図である。
【図１０】図１０は、スキャナ筐体５１が第２位置に位置し且つ防塵部８０、９０がプリンタ筐体１４に取り付けられた複合機１０の斜視図である。
【図１１】図１１は、図１０の状態でスキャナ筐体５１が第１位置に位置した場合におけるＸＩ−ＸＩ断面図である。
【図１２】図１２は、防塵部７０が回動可能に構成された複合機１０の斜視図であり、スキャナ筐体５１が第２位置に位置し且つ防塵部７０が倒伏位置の状態が示されている。
【図１３】図１３は、防塵部７０が回動可能に構成された複合機１０の斜視図であり、スキャナ筐体５１が第２位置に位置し且つ防塵部７０が起立位置の状態が示されている。
【発明を実施するための形態】
【００２８】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明では、複合機１０が使用可能に設置された状態（図１の状態）を基準として上下方向７が定義され、開口１３が設けられている面を前面２２として前後方向８が定義され、複合機１０を前方から見て左右方向９が定義される。上下方向７、前後方向８、及び左右方向９は互いに直交している。
【００２９】
［複合機１０の全体構造］
図１に示されるように、複合機１０（インクジェット記録装置の一例）は、概ね薄型の直方体に形成されている。
【００３０】
複合機１０は、その上部にスキャナ部１２を備えている。スキャナ部１２は、用紙などの原稿に記録された画像をイメージセンサによって読み取って画像データを取得する。スキャナ部１２は、所謂フラットベッドスキャナである。フラットベッドスキャナは公知であるため、ここではスキャナ部１２についての詳細な説明は省略される。
【００３１】
複合機１０は、その下部にプリンタ部１１を備えている。プリンタ部１１は、前記画像データなどに基づいて、用紙１５（図２参照）に画像を記録する。
【００３２】
プリンタ部１１は、プリンタ筐体１４（下部筐体の一例）を備えている。スキャナ部１２は、スキャナ筐体５１（上部筐体の一例）を備えている。プリンタ筐体１４及びスキャナ筐体５１によって、プリンタ部１１の筐体が形成されている。
【００３３】
プリンタ筐体１４は、概ね直方体に形成された箱形である。プリンタ筐体１４は、内部空間３０（図２及び図３参照）を備えている。内部空間３０には、後述する搬送路２３（図２参照）が形成されている。また、内部空間３０には、図２に示されるように、後述する給送ローラ２５、搬送ローラ対６３、排出ローラ対６６、及び記録部２４などが配置されている。
【００３４】
図２に示されるように、プリンタ部１１は、搬送路２３と、給送ローラ２５と、搬送ローラ対６３と、排出ローラ対６６と、記録部２４とを備えている。搬送路２３は、用紙１５が通過する経路である。給送ローラ２５は、給送トレイ２０に支持された用紙１５を搬送路２３へ給送する。給送ローラ２５は、給送モータ（不図示）の駆動力が伝達されることによって回転する。搬送ローラ対６３及び排出ローラ対６６は、搬送路２３に配置されている。搬送ローラ対６３及び排出ローラ対６６は、給送ローラ２５によって搬送路２３に給送された用紙１５を搬送する。記録部２４は、スキャナ部１２によって原稿から読み取られた画像データなどに基づいて、インクジェット方式にて用紙１５に画像を記録する。
【００３５】
図３に示されるように、プリンタ筐体１４は、その上部に天板２７を備えている。天板２７の下面は、内部空間３０の上端を区画している。天板２７には、左右方向９に延びた開口２８が形成されている。内部空間３０は、開口２８を通じて、プリンタ筐体１４の外部（プリンタ筐体１４よりも上方の空間）と連通している。
【００３６】
天板２７は、後板２７Ａと、前板２７Ｂと、渡し板２７Ｃとを備えている。後板２７Ａは、開口２８よりも後方に位置する。前板２７Ｂは、開口２８よりも前方に位置する。前板２７Ｂは、プリント基板（不図示）を支持している。プリント基板には、ＣＰＵやメモリなどの電子部品が実装されている。メモリに記憶されたプログラムがＣＰＵによって実行されることによって、複合機１０の動作が制御される。
【００３７】
渡し板２７Ｃは、後板２７Ａと前板２７Ｂとを繋いでいる。渡し板２７Ｃは、スキャナ部１２に配置された電子部品（不図示）と前板２７Ｂに配置された電子部品とを接続する電線（不図示）を支持する。渡し板２７Ｃは、開口２８を、右方の開口２８Ａと左方の開口２８Ｂとに分けている。渡し板２７Ｃは、プリンタ筐体１４の右部に形成されている。これにより、開口２８Ａの左右方向９の長さは、開口２８Ｂの左右方向９の長さよりも短くなっている。
【００３８】
図１及び図３に示されるように、プリンタ筐体１４の前面２２に、開口１３が形成されている。内部空間３０は、開口１３を通じて、プリンタ筐体１４の外部（プリンタ筐体１４よりも前方の空間）と連通している。給送トレイ２０及び排出トレイ２１が、開口１３を通じてプリンタ筐体１４に対して前後方向８に挿抜可能である。給送トレイ２０には、所望のサイズの用紙１５が支持される。なお、図１〜図１０、図１２、及び図１３には、給送トレイ２０及び排出トレイ２１がプリンタ筐体１４に装着された状態が示されている。
【００３９】
スキャナ筐体５１は、概ね直方体に形成されている。スキャナ筐体５１は、プリンタ筐体１４の上方に配置されている。
【００４０】
スキャナ筐体５１の後端部は、プリンタ筐体１４の後端部と蝶番などによって連結されている。これにより、スキャナ筐体５１は、その後端部（例えば前記蝶番）を軸として、第１位置（図１に示される位置）と第２位置（図３に示される位置）とに回動可能である。第１位置のスキャナ筐体５１は、プリンタ筐体１４に対して倒伏してプリンタ筐体１４を上方から覆う。詳細には、第１位置のスキャナ筐体５１は、プリンタ筐体１４の天板２７を覆う。第２位置のスキャナ筐体５１は、プリンタ筐体１４に対して起立して天板２７を露出させる。詳細には、第２位置のスキャナ筐体５１は、開口２８を通じて内部空間３０を露出させる。
【００４１】
［搬送路２３］
図２に示されるように、搬送路２３は、給送トレイ２０の後端部を基点として、下方から上方に延びつつＵターンしてから、前方へ延びて記録部２４の下方を通って排出トレイ２１に至る通路である。搬送路２３は、所定間隔を隔てて互いに対向する第１ガイド部材３１及び第２ガイド部材３２、搬送ローラ対６３、所定間隔を隔てて互いに対向する記録部２４及びプラテン６７、並びに排出ローラ対６６によって区画される空間である。用紙１５は、搬送路２３を、図２に破線の矢印で示される向きである搬送向きに搬送される。
【００４２】
［搬送ローラ対６３及び排出ローラ対６６］
図２に示されるように、搬送路２３に、搬送ローラ対６３が配置されている。搬送ローラ対６３は、搬送ローラ６１及びピンチローラ６２よりなる。ピンチローラ６２は、ばねなどの弾性部材（不図示）によって搬送ローラ６１に圧接されている。これにより、搬送ローラ対６３は、用紙１５を挟持可能である。
【００４３】
搬送路２３における搬送ローラ対６３よりも搬送向きの下流に、排出ローラ対６６が配置されている。排出ローラ対６６は、排出ローラ６４及び拍車６５よりなる。拍車６５は、ばねなどの弾性部材（不図示）によって排出ローラ６４に圧接されている。これにより、排出ローラ対６６は、用紙１５を挟持可能である。
【００４４】
搬送ローラ６１及び排出ローラ６４は、搬送モータ（不図示）の駆動力が伝達されることによって駆動される。駆動力が伝達された搬送ローラ６１は、ピンチローラ６２との間に用紙１５を挟持しつつ搬送向きへ搬送する。駆動力が伝達された排出ローラ６４は、拍車６５との間に用紙１５を挟持しつつ搬送向きへ搬送する。
【００４５】
［記録部２４］
図２に示されるように、搬送路２３における搬送ローラ対６３及び排出ローラ対６６の間に、記録部２４が配置されている。記録部２４は、インクジェット方式でインク滴を吐出する記録ヘッド３７と、記録ヘッド３７を搭載するキャリッジ３８とを備えている。キャリッジ３８は、用紙１５の搬送向きと直交する左右方向９に沿って移動可能に、ガイドレール４５、４６によって支持されている。つまり、キャリッジ３８は、右向き（第１向きの一例）及び右向きとは逆向きの左向き（第２向きの一例）へ移動可能である。ガイドレール４５、４６は、プリンタ筐体１４に支持されている。キャリッジ３８は、キャリッジ駆動用モータ（不図示）の駆動力が伝達されることによって移動する。
【００４６】
記録ヘッド３７は、キャリッジ３８の下部に配置されている。記録ヘッド３７の下面には、複数のノズル（不図示）が形成されている。ノズルは、キャリッジ３８の下面に露出されている。ノズルから下方のプラテン６７へ向けてインク滴が吐出される。プラテン６７は、記録ヘッド３７の下方に記録ヘッド３７と対向して配置されている。プラテン６７は、概ね平板形状であり、その上面に用紙１５を支持可能である。
【００４７】
図１に示されるように、プリンタ部１１の右前部には、各色（例えばブラック、イエロー、シアン、マゼンタ）のインクタンク３６が配置されている。各色のインクがインクタンク３６から記録ヘッド３７へ供給される。キャリッジ３８が左右方向９に沿って移動している間に、各ノズルから各色のインクが微小なインク滴として選択的に吐出される。これにより、プラテン６７上を搬送される用紙１５に画像が記録される。
【００４８】
本実施形態では、図３に示されるように、キャリッジ３８は、プリンタ筐体１４の天板２７に形成された開口２８の真下に配置されている。なお、キャリッジ３８の配置位置は、開口２８よりも前方または後方にずれていてもよい。
【００４９】
キャリッジ３８は、搬送路２３よりも右方から搬送路２３よりも左方に亘って移動可能である。図３に一点鎖線で示されるように、キャリッジ３８が移動可能な範囲の最も右に位置するとき、キャリッジ３８は開口２８Ａの真下に位置する。図３に二点鎖線で示されるように、キャリッジ３８が移動可能な範囲の最も左に位置するとき、キャリッジ３８は開口２８Ｂの左端部の真下に位置する。キャリッジ３８は、図３に一点鎖線で示される位置と図３に二点鎖線で示される位置との間を移動可能である。つまり、図３に破線で示される空間が、キャリッジ３８の移動可能空間４０である。移動可能空間４０は、内部空間３０のうちキャリッジ３８が位置することが可能な空間である。左右方向９において、開口２８Ａは、移動可能空間４０の右端部に形成されている。開口２８Ｂは、移動可能空間４０の右端部以外の部分に形成されている。
【００５０】
［防塵部７０］
防塵部７０は、複合機１０の筐体（プリンタ筐体１４及びスキャナ筐体５１）の外部から内部空間３０への砂塵などの進入を防ぐためのものである。防塵部７０は、発砲ポリウレタンなどの多孔質材料である。防塵部７０は、複合機１０の筐体の外部と内部空間３０との間に配置される。
【００５１】
本実施形態では、図３に示されるように、防塵部７０は、以下に詳述するように、スキャナ筐体５１の２箇所に取り付けられている。つまり、防塵部７０は、防塵部７０Ａと防塵部７０Ｂとを備える。防塵部７０は、接着や嵌合などの公知に手段によって取り付けられている。
【００５２】
スキャナ筐体５１の下面５２には、凸部５３が形成されている。凸部５３は、プリンタ筐体１４の天板２７に形成された開口２８Ａに対応する位置に形成されている。スキャナ筐体５１が第１位置のとき、凸部５３は、開口２８Ａを通じて開口２８Ａよりも下方へ入り込む。防塵部７０Ａは、スキャナ筐体５１の下面５２において凸部５３を囲むように凸部５３の周縁に配置されている。スキャナ筐体５１が第１位置に位置する状態において、防塵部７０Ａは、開口２８Ａの周縁部において、開口２８Ａと凸部５３との間に形成された隙間を埋めている。換言すると、スキャナ筐体５１が第１位置に位置する状態において、防塵部７０Ａは、開口２８Ａの周縁部において、スキャナ筐体５１の下面５２とプリンタ筐体１４の天板２７との隙間を塞ぐように配置されている。
【００５３】
これにより、複合機１０の外部からスキャナ筐体５１とプリンタ筐体１４との間の隙間３３（図１参照）を通ってスキャナ筐体５１の下面５２とプリンタ筐体１４の天板２７との間の空間に進入した砂塵などが、開口２８Ａを通って内部空間３０へ進入することを低減できる。
【００５４】
防塵部７０Ｂは、スキャナ筐体５１の下面５２に配置されている。防塵部７０Ｂは、防塵部７０Ａよりも左方に配置されている。防塵部７０Ｂは、左右方向９に延びている。スキャナ筐体５１が第１位置のとき、防塵部７０Ｂは、開口２８Ｂの前端近傍に位置している。また、スキャナ筐体５１が第１位置に位置する状態において、防塵部７０Ｂの右端は、開口２８Ｂの右端近傍に位置しており、防塵部７０Ｂの左端は、開口２８Ｂの左端近傍に位置している。
【００５５】
これにより、スキャナ筐体５１が第１位置に位置する状態において、防塵部７０Ｂは、開口２８Ｂの前端近傍において、スキャナ筐体５１の下面５２とプリンタ筐体１４の天板２７との間の隙間を塞いでいる。その結果、下面５２と天板２７との間の空間における開口２８Ｂよりも前方に位置する砂塵などが、開口２８Ｂよりも前方から開口２８Ｂを通って内部空間３０へ進入することを低減できる。
【００５６】
［実施形態の効果］
キャリッジ３８が移動することによって、筐体の外部から内部空間３０へ向かう圧力が生じる。この圧力によって、砂塵などが、筐体の外部から、筐体に形成された開口２８や隙間３３を通じて、内部空間３０へ進入しようとする。しかし、この砂塵などの多くは、移動可能空間４０と筐体の外部との間に配置された防塵部７０によって、内部空間３０への進入を阻まれる。その結果、砂塵などの筐体の内部空間３０への進入を抑制することができる。
【００５７】
また、防塵部７０に進入した砂塵などは、筐体の外部から内部空間３０へ進入するために、多孔質材料である防塵部７０に形成された複数の細孔を通過する必要がある。しかし、砂塵などの多くは、複数の細孔を通過することなく、複数の細孔の間にある多孔質材料の壁によって進入を阻まれる。その結果、砂塵などの筐体の内部空間３０への進入を抑制することができる。
【００５８】
また、防塵部７０が多孔質材料であるため、筐体の外部と内部空間３０との間における空気の移動は可能である。これにより、内部空間３０に配置されたモータなどから発する熱が内部空間３０に籠もり、内部空間３０の温度が上昇することを抑制できる。
【００５９】
また、内部空間３０に用紙１５が詰まった場合に、スキャナ筐体５１を第２位置へ移動させることによって、当該用紙１５を容易に取り出すことができる。
【００６０】
また、キャリッジ３８が移動することによって圧力が生じることにより、砂塵などがプリンタ筐体１４及びスキャナ筐体５１の外部から、スキャナ筐体５１の下面５２及びプリンタ筐体１４の天板２７の隙間、及び開口２８Ａを通じて内部空間３０へ進入しようとする。しかし、この砂塵などの多くは、防塵部７０Ａによって開口２８Ａへ到達することができない。これにより、砂塵などのプリンタ筐体１４の内部空間３０への進入を抑制することができる。
【００６１】
また、キャリッジが左方へ移動すると、左向きの圧力が発生する。この左向きの圧力により、筐体よりも右方に位置する外部空間から、スキャナ筐体５１及び天板２７の隙間、及び開口２８Ａを通じてプリンタ筐体１４の内部空間３０へ向けて、砂塵などが進入しようとする。しかし、この砂塵などの開口２８Ａを通じての内部空間３０への進入は、開口２８Ａの少なくとも周縁部を塞いでいる防塵部７０Ａによって抑制される。
【００６２】
［変形例］
上記実施形態では、防塵部７０は、スキャナ筐体５１の下面５２の２箇所に取り付けられていた。詳細には、防塵部７０Ａが開口２８Ａの周縁部に対応する位置に取り付けられており、防塵部７０Ｂが開口２８Ａの前端近傍に対応する位置に取り付けられていた。しかし、防塵部７０が取り付けられる数は２箇所に限らない。また、防塵部７０が取り付けられる位置は前述した位置に限らない。
【００６３】
例えば、図４に示されるように、スキャナ筐体５１の下面５２における開口２８Ｂの周縁部に対応する位置に、防塵部７０Ｃが取り付けられていてもよい。図４では、防塵部７０は、防塵部７０Ａと防塵部７０Ｃとを備える。防塵部７０Ｃは、スキャナ筐体５１が第１位置に位置する状態において、開口２８Ｂの周縁部において、スキャナ筐体５１の下面５２とプリンタ筐体１４の天板２７との隙間を塞ぐように配置されている。これにより、スキャナ筐体５１の下面５２とプリンタ筐体１４の天板２７との間の空間に進入した砂塵などが、開口２８Ｂを通って内部空間３０へ進入することを低減できる。
【００６４】
また、例えば、図５に示されるように、スキャナ筐体５１の下面５２の右端部に、防塵部７０Ｄが取り付けられていてもよい。防塵部７０Ｄは、スキャナ筐体５１の下面５２に沿って概ね前後方向８に延びている。防塵部７０Ｄは、スキャナ筐体５１が第１位置に位置する状態において、スキャナ筐体５１の下面５２の右端部とプリンタ筐体１４の天板２７の右端部との隙間３３（図１参照）を塞ぐ。これにより、砂塵などが、複合機１０の外部から隙間３３を通ってスキャナ筐体５１の下面５２とプリンタ筐体１４の天板２７との間の空間に進入することを低減できる。なお、図５では、スキャナ筐体５１には、防塵部７０Ｄのみが取り付けられているが、防塵部７０Ｄに加えて、防塵部７０Ａ、７０Ｂ、７０Ｃの少なくとも一つが取り付けられてもよい。
【００６５】
また、防塵部７０は、防塵部７０Ｄの代わりにまたは防塵部７０Ｄに加えて、スキャナ筐体５１の下面５２の左端部に取り付けられていてもよい。
【００６６】
以上より、防塵部７０は、移動可能空間４０の右端部４０Ａよりも右方の位置であって右端部４０Ａと筐体（プリンタ筐体１４及びスキャナ筐体５１）の外部との間の位置（防塵部７０Ｄが取り付けられた位置）、または、移動可能空間４０の左端部４０Ｂよりも左方の位置であって左端部４０Ｂと筐体の外部との間の位置（スキャナ筐体５１の下面５２の左端部に取り付けられた防塵部７０の位置）の少なくとも一方に配置されている。
【００６７】
キャリッジ３８が右方へ移動すると、右向きの圧力が発生する。この右向きの圧力により、筐体よりも左方に位置する外部空間から筐体に形成された開口２８や隙間を通じて筐体の内部空間３０へ向けて、砂塵などが進入しようとする。しかし、この砂塵などの内部空間３０への進入は、移動可能空間４０の左端部４０Ｂよりも左方の位置であって左右方向９における左端部４０Ｂと筐体の外部との間に配置された防塵部７０によって抑制される。
【００６８】
同様に、キャリッジが左方へ移動すると、左向きの圧力が発生する。この左向きの圧力により、筐体よりも右方に位置する外部空間から筐体に形成された開口２８や隙間３３を通じて筐体の内部空間３０へ向けて、砂塵などが進入しようとする。しかし、この砂塵などの内部空間３０への進入は、移動可能空間４０の右端部４０Ａよりも右方の位置であって左右方向９における右端部４０Ａと筐体の外部との間に配置された防塵部７０Ｄによって抑制される。
【００６９】
また、例えば、図６に示されるように、スキャナ筐体５１の前面に、防塵部７０Ｅが取り付けられていてもよい。防塵部７０Ｅは、スキャナ筐体５１の前面に沿って概ね左右方向９に延びている。防塵部７０Ｅは、スキャナ筐体５１が第１位置に位置する状態において、スキャナ筐体５１の前面とプリンタ筐体１４との隙間３４（図１参照）を塞ぐ。これにより、砂塵などが、複合機１０の外部から隙間３４を通ってスキャナ筐体５１の下面５２とプリンタ筐体１４の天板２７との間の空間に進入することを低減できる。なお、図６では、スキャナ筐体５１には、防塵部７０Ｅのみが取り付けられているが、防塵部７０Ｅに加えて、防塵部７０Ａ、７０Ｂ、７０Ｃ、７０Ｄの少なくとも一つが取り付けられてもよい。
【００７０】
上記実施形態では、防塵部７０は、スキャナ筐体５１に取り付けられていた。しかし、図７に示されるように、防塵部７０は、プリンタ筐体１４に取り付けられていてもよい。図７では、防塵部７０Ａが、開口２８Ａの周縁部に取り付けられている。また、防塵部７０Ｂが、開口２８Ｂの前端近傍に取り付けられている。また、図８に示されるように、防塵部７０Ｃが、開口２８Ｂの周縁部に取り付けられていてもよい。また、図示されていなが、防塵部７０Ｄが、プリンタ筐体１４の天板２７の右端部に前後方向８に沿って取り付けられていてもよいし、防塵部７０Ｅが、プリンタ筐体１４の上端の前端部に左右方向９に沿って取り付けられていてもよい。
【００７１】
上記実施形態では、防塵部７０Ａは開口２８Ａの周縁部に対応する位置に配置されていた。また、防塵部７０Ｃは開口２８Ｂの周縁部に対応する位置に配置されていた。しかし、防塵部７０Ａは、スキャナ筐体５１が第１位置に位置する状態において、開口２８Ａ全体を塞ぐことができる範囲に亘って配置されていてもよい。また、防塵部７０Ｃは、スキャナ筐体５１が第１位置に位置する状態において、開口２８Ｂ全体を塞ぐことができる範囲に亘って配置されていてもよい。
【００７２】
この場合、スキャナ筐体５１が第１位置に位置する状態において、開口２８は防塵部７０Ａ、７０Ｃによって塞がれている。しかし、防塵部７０がスキャナ筐体５１に取り付けられていることで、スキャナ筐体５１を第１位置から第２位置へ移動させたときに、開口２８を通じて内部空間３０を露出することができる。これにより、内部空間３０に用紙１５が詰まったときに、当該用紙１５を開口２８を通じて取り出すことができる。一方、スキャナ筐体５１が第１位置に位置するときには、砂塵などの内部空間３０への進入を抑制することができる。
【００７３】
防塵部７０は、スキャナ筐体５１の下面５２や、プリンタ筐体１４の天板２７以外の箇所に取り付けられていてもよい。例えば、図９に示されるように、プリンタ筐体１４の側板２９に、放熱などのための開口２６が形成されている場合、防塵部７０が、側板２９における内部空間３０を向く面に、開口２６を塞ぐように取り付けられていてもよい。
【００７４】
防塵部は、プリンタ筐体１４の外部から内部空間への空気の流れと交差する交差方向に間隔を空けて、複数配置されていてもよい。例えば、図１０に示されるように、プリンタ筐体１４の天板２７における開口２８の周縁部に、防塵部８０（８０Ａ、８０Ｂ）が、交差方向に間隔を空けて２重に配置されていてもよい。なお、防塵部８０は、３重以上に配置されていてもよい。
【００７５】
また、防塵部８０が配置されている構成の場合（図１０参照）、スキャナ筐体５１の下面５２における開口２８の周縁部に対応する部分に、防塵部９０（９０Ａ、９０Ｂ）が、交差方向に間隔を空けて２重に配置されている。なお、防塵部９０は、防塵部８０に対応して３重以上に配置されていてもよい。
【００７６】
図１１に示されるように、防塵部９０Ａ、９０Ｂは、スキャナ筐体５１が第１位置に位置する状態において、交差方向（左右方向９）に沿って防塵部８０Ａ、８０Ｂと交互に並ぶように配置されている。これにより、防塵部８０、９０によって、移動可能空間４０とプリンタ筐体１４の外部とを連通するラビリンス形状の流路７１が形成される。なお、図１０及び図１１に示される構成の場合、防塵部８０、９０は、発砲ポリウレタンなどの多孔質材料に限らず、例えば、ポリスチレンなどの樹脂で構成されていてもよい。更に、スキャナ筐体５１やプリンタ筐体１４の筐体自身に一体的に構成されていてもよい。
【００７７】
砂塵などは、筐体の外部から内部空間３０へ進入するために防塵部８０、９０に形成されたラビリンス状の流路７１を通過する必要がある。しかし、キャリッジ３８の移動によって生じた圧力が弱まると、砂塵などの多くは、流路７１の途中で停止する。これにより、砂塵などの筐体の内部空間３０への進入を抑制することができる。
【００７８】
また、流路７１を介して、筐体の外部と内部空間３０との間における空気の移動は可能である。これにより、内部空間３０に配置されたモータなどから発する熱が内部空間３０に籠もり、内部空間３０の温度が上昇することを抑制できる。
【００７９】
上記実施形態では、防塵部７０は、スキャナ筐体５１またはプリンタ筐体１４に取り付けられていたが、スキャナ筐体５１及びプリンタ筐体１４の双方に取り付けられていてもよい。
【００８０】
上記実施形態では、防塵部７０が、スキャナ筐体５１の下面５２やプリンタ筐体１４の天板２７に貼り付けられていたが、防塵部７０は、スキャナ筐体５１やプリンタ筐体１４に貼り付けられた構成に限らない。例えば、防塵部７０は、スキャナ筐体５１と同様に回動可能に構成されていてもよい。図１２及び図１３に示される例において、防塵部７０は、プリンタ筐体１４の後端部と蝶番（不図示）などによって連結されている。防塵部７０は、その後端部（例えば前記蝶番）を軸として、倒伏位置（図１２に示される位置）と起立位置（図１３に示される位置）とに回動可能である。倒伏位置の防塵部７０は、プリンタ筐体１４に対して倒伏して開口２８を上方から覆う。起立位置の防塵部７０は、プリンタ筐体１４に対して起立して開口２８を通じて内部空間３０を露出させる。
【００８１】
上述した回動可能な防塵部７０は、スキャナ筐体５１と独立して回動してもよいし、スキャナ筐体５１と連動して回動してもよい。防塵部７０がスキャナ筐体５１と連動して回動する場合、防塵部７０は、スキャナ筐体５１が第１位置に位置する状態において倒伏位置に位置している。防塵部７０は、スキャナ筐体５１の第１位置から第２位置への回動に連動して、倒伏位置から起立位置へ回動する。
【００８２】
上記実施形態では、複合機１０は、プリンタ筐体１４及びスキャナ筐体５１の２つの筐体を備えていたが、複合機１０は１つの筐体のみを備えていてもよい。例えば、複合機１０は、スキャナ筐体５１を備えておらず、プリンタ筐体１４を備えていてもよい。この場合、防塵部７０は、プリンタ筐体１４に取り付けられる。詳細には、防塵部７０は、プリンタ筐体１４の内部空間３０とプリンタ筐体１４の外部との連通箇所を塞ぐように取り付けられる。
【符号の説明】
【００８３】
１０・・・複合機（インクジェット記録装置）
１１・・・プリンタ部
１２・・・スキャナ部
１４・・・プリンタ筐体（筐体、下部筐体）
３０・・・内部空間
３７・・・記録ヘッド
３８・・・キャリッジ
４０・・・移動可能空間
５１・・・スキャナ筐体（筐体、上部筐体）
７０・・・防塵部
【図１】
2018099856.tif 000003
【図２】
2018099856.tif 000004
【図３】
2018099856.tif 000005
【図４】
2018099856.tif 000006
【図５】
2018099856.tif 000007
【図６】
2018099856.tif 000008
【図７】
2018099856.tif 000009
【図８】
2018099856.tif 000010
【図９】
2018099856.tif 000011
【図１０】
2018099856.tif 000012
【図１１】
2018099856.tif 000013
【図１２】
2018099856.tif 000014
【図１３】
2018099856.tif 000015